【手続補正書】
【提出日】平成31年1月7日(2019.1.7)
【手続補正１】
【補正対象書類名】特許請求の範囲
【補正対象項目名】全文
【補正方法】変更
【補正の内容】
【特許請求の範囲】
【請求項１】
キャリアアグリゲーションにおいて複数の構成されたコンポーネントキャリア（ＣＣ）上で通信するように動作可能なユーザ機器（ＵＥ）によって実施されるワイヤレス通信の方法であって、
サブフレームのための複数の構成されたＣＣからのスケジュールされたＣＣの指示を備える前記複数の構成されたＣＣのためのリソース許可メッセージを受信すること、ここにおいて、前記リソース許可メッセージに関連するリソース割振りグラニュラリティが、前記スケジュールされたＣＣの数と、前記スケジュールされたＣＣがアップリンクＣＣを備えるのかダウンリンクＣＣを備えるのかとに少なくとも部分的に基づく、と、
前記リソース許可メッセージに従って、前記サブフレームの間に前記スケジュールされたＣＣ上で通信することと、
を備える、方法。
【請求項２】
前記リソース許可メッセージが、ダウンリンクＣＣの制御領域中のメッセージを備えるのかデータ領域中のメッセージを備えるのかに少なくとも部分的に基づいて、前記リソース許可メッセージに関連する前記リソース割振りグラニュラリティを決定すること、
をさらに備える、請求項１に記載の方法。
【請求項３】
前記リソース許可メッセージがスケジューリング情報の１つまたは複数のセットを備え、ここにおいて、スケジューリング情報の各セットが、変調およびコーディング方式（ＭＣＳ）指示、ハイブリッド自動再送要求（ＨＡＲＱ）指示、新規データインジケータ（ＮＤＩ）、冗長バージョン（ＲＶ）指示、送信電力制御（ＴＰＣ）コマンド、プリコーディング指示、またはデータ割当てインデックス（ＤＡＩ）指示のうちの少なくとも１つ、あるいはそれらの任意の組合せを備え、特に、スケジューリング情報の前記１つまたは複数のセットが、前記スケジュールされたＣＣのうちの少なくとも１つのための第１のスケジューリング情報と、前記スケジュールされたＣＣのうちの少なくとも２つのための第２のスケジューリング情報とを備える、請求項１に記載の方法。
【請求項４】
前記リソース許可メッセージ中のリソース割振りビットの数または前記スケジュールされたＣＣの前記数に少なくとも部分的に基づいて、前記リソース許可メッセージに関連する前記リソース割振りグラニュラリティを決定すること
をさらに備える、請求項１に記載の方法。
【請求項５】
前記複数の構成されたＣＣをＣＣの１つまたは複数のグループに区分するグループ構成メッセージを受信すること、ここにおいて、ＣＣの前記１つまたは複数のグループの各々が少なくとも２つの構成されたＣＣを備える、と、
複数のリソース許可メッセージを受信すること、ここにおいて、前記複数のリソース許可メッセージの各リソース許可メッセージが、ＣＣの前記１つまたは複数のグループ中のＣＣのグループに対応する、と、
をさらに備える、請求項１に記載の方法。
【請求項６】
前記リソース許可メッセージがダウンリンクＣＣの制御領域中で、または、ダウンリンクＣＣのデータ領域中で、または、ダウンリンク制御チャネル中で、または、ダウンリンク共有チャネル中で受信される、請求項１に記載の方法。
【請求項７】
追加の単一の構成されたＣＣのための追加のリソース許可メッセージを受信すること、または、
前記スケジュールされたＣＣのための共通ＨＡＲＱフィードバックメッセージを送信すること
をさらに備える、請求項１に記載の方法。
【請求項８】
前記リソース許可メッセージのサイズが、前記複数の構成されたＣＣの数に少なくとも部分的に基づく、特に、ここにおいて、前記リソース許可メッセージの前記サイズが半静的ダウンリンク制御情報（ＤＣＩ）長さを備える、請求項１に記載の方法。
【請求項９】
キャリアアグリゲーションにおいて複数の構成されたコンポーネントキャリア（ＣＣ）上で通信するように動作可能なユーザ機器（ＵＥ）を備えるワイヤレス通信のための装置であって、前記装置は、
サブフレームのための複数の構成されたＣＣからのスケジュールされたＣＣの指示を備える前記複数の構成されたＣＣのためのリソース許可メッセージを受信するための手段、ここにおいて、前記リソース許可メッセージに関連するリソース割振りグラニュラリティが、前記スケジュールされたＣＣの数と、前記スケジュールされたＣＣがアップリンクＣＣを備えるのかダウンリンクＣＣを備えるのかとに少なくとも部分的に基づく、と、
前記リソース許可メッセージに従って、前記サブフレームの間に前記スケジュールされたＣＣ上で通信するための手段と、
を備える、装置。
【請求項１０】
前記リソース許可メッセージが、ダウンリンクＣＣの制御領域中のメッセージを備えるのかデータ領域中のメッセージを備えるのかに少なくとも部分的に基づいて、または、前記リソース許可メッセージ中のリソース割振りビットの数または前記スケジュールされたＣＣの前記数に少なくとも部分的に基づいて、前記リソース許可メッセージに関連する前記リソース割振りグラニュラリティを決定するための手段をさらに備える、請求項９に記載の装置。
【請求項１１】
前記複数の構成されたＣＣをＣＣの１つまたは複数のグループに区分するグループ構成メッセージを受信するための手段、ここにおいて、ＣＣの前記１つまたは複数のグループの各々が少なくとも２つの構成されたＣＣを備える、と、
複数のリソース許可メッセージを受信するための手段、ここにおいて、前記複数のリソース許可メッセージの各リソース許可メッセージが、ＣＣの前記１つまたは複数のグループ中のＣＣのグループに対応する、と、
をさらに備える、請求項９に記載の装置。
【請求項１２】
ＣＣの少なくとも１つのグループがダウンリンクＣＣを備え、ＣＣの前記少なくとも１つのグループの各ダウンリンクＣＣが、同じアップリンク制御チャネルに関連する、または、前記複数の構成されたＣＣは、前記スケジュールされたＣＣがアップリンクＣＣを備えるのかダウンリンクＣＣを備えるのかに少なくとも部分的に基づいて、ＣＣの前記１つまたは複数のグループに区分される、請求項５に記載の方法または請求項１１に記載の装置。
【請求項１３】
前記リソース許可メッセージがダウンリンク制御チャネル中でまたはダウンリンク共有チャネル中で受信される、請求項９に記載の装置。
【請求項１４】
追加の単一の構成されたＣＣのためのリソース許可メッセージを受信するための手段、または
前記スケジュールされたＣＣのための共通ＨＡＲＱフィードバックメッセージを送信するための手段
をさらに備える、請求項９に記載の装置。
【請求項１５】
請求項１−８または１２のうちのいずれかに従った方法を実施するための命令を備えるコンピュータプログラム。
【手続補正２】
【補正対象書類名】明細書
【補正対象項目名】０１９１
【補正方法】変更
【補正の内容】
【０１９１】
[0211]本明細書で説明された技法は、符号分割多元接続（ＣＤＭＡ）、時分割多元接続（ＴＤＭＡ）、周波数分割多元接続（ＦＤＭＡ）、ＯＦＤＭＡ、ＳＣ−ＦＤＭＡ、および他のシステムなど、様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションズシステム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するユニバーサルモバイルテレコミュニケーションズシステム（ＵＭＴＳ）の新しいリリースである。ＵＴＲＡ、Ｅ−ＵＴＲＡ、ＵＭＴＳ、ＬＴＥ、ＬＴＥ−Ａ、およびモバイル通信用グローバルシステム（ＧＳＭ）は、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明された技法は、上述のシステムおよび無線技術、ならびに他のシステムおよび無線技術のために使用され得る。ただし、上記の説明では、例としてＬＴＥシステムについて説明し、上記の説明の大部分においてＬＴＥ用語が使用されるが、本技法はＬＴＥ適用例以外に適用可能である。
以下に本願発明の当初の特許請求の範囲に記載された発明を付記する。
［Ｃ１］
キャリアアグリゲーションにおいて複数の構成されたコンポーネントキャリア（ＣＣ）上で通信するように動作可能なユーザ機器（ＵＥ）によって実施されるワイヤレス通信の方法であって、
サブフレームのための複数の構成されたＣＣからのスケジュールされたＣＣの指示を備える前記複数の構成されたＣＣのためのリソース許可メッセージを受信すること、ここにおいて、前記リソース許可メッセージに関連するリソース割振りグラニュラリティが、前記スケジュールされたＣＣの数に少なくとも部分的に基づく、と、
前記リソース許可メッセージに従って、前記サブフレームの間に前記スケジュールされたＣＣ上で通信することと、
を備える、方法。
［Ｃ２］
前記リソース許可メッセージに関連する前記リソース割振りグラニュラリティは、前記スケジュールされたＣＣがアップリンクＣＣを備えるのかダウンリンクＣＣを備えるのかに少なくとも部分的に基づく、Ｃ１に記載の方法。
［Ｃ３］
前記リソース許可メッセージが、ダウンリンクＣＣの制御領域中のメッセージを備えるのかデータ領域中のメッセージを備えるのかに少なくとも部分的に基づいて、前記リソース許可メッセージに関連する前記リソース割振りグラニュラリティを決定すること、
をさらに備える、Ｃ１に記載の方法。
［Ｃ４］
前記リソース許可メッセージがスケジューリング情報の１つまたは複数のセットを備え、ここにおいて、スケジューリング情報の各セットが、変調およびコーディング方式（ＭＣＳ）指示、ハイブリッド自動再送要求（ＨＡＲＱ）指示、新規データインジケータ（ＮＤＩ）、冗長バージョン（ＲＶ）指示、送信電力制御（ＴＰＣ）コマンド、プリコーディング指示、またはデータ割当てインデックス（ＤＡＩ）指示のうちの少なくとも１つ、あるいはそれらの任意の組合せを備える、Ｃ１に記載の方法。
［Ｃ５］
スケジューリング情報の前記１つまたは複数のセットが、前記スケジュールされたＣＣのうちの少なくとも１つのための第１のスケジューリング情報と、前記スケジュールされたＣＣのうちの少なくとも２つのための第２のスケジューリング情報とを備える、Ｃ４に記載の方法。
［Ｃ６］
前記リソース許可メッセージ中のリソース割振りビットの数または前記スケジュールされたＣＣの前記数に少なくとも部分的に基づいて、前記リソース許可メッセージに関連する前記リソース割振りグラニュラリティを決定すること
をさらに備える、Ｃ１に記載の方法。
［Ｃ７］
前記複数の構成されたＣＣをＣＣの１つまたは複数のグループに区分するグループ構成メッセージを受信すること、ここにおいて、ＣＣの前記１つまたは複数のグループの各々が少なくとも２つの構成されたＣＣを備える、と、
複数のリソース許可メッセージを受信すること、ここにおいて、前記複数のリソース許可メッセージの各リソース許可メッセージが、ＣＣの前記１つまたは複数のグループ中のＣＣのグループに対応する、と、
をさらに備える、Ｃ１に記載の方法。
［Ｃ８］
ＣＣの少なくとも１つのグループがダウンリンクＣＣを備え、ＣＣの前記少なくとも１つのグループの各ダウンリンクＣＣが、同じアップリンク制御チャネルに関連する、Ｃ７に記載の方法。
［Ｃ９］
前記複数の構成されたＣＣは、前記スケジュールされたＣＣがアップリンクＣＣを備えるのかダウンリンクＣＣを備えるのかに少なくとも部分的に基づいて、ＣＣの前記１つまたは複数のグループに区分される、Ｃ７に記載の方法。
［Ｃ１０］
前記リソース許可メッセージがダウンリンクＣＣの制御領域中で受信される、Ｃ１に記載の方法。
［Ｃ１１］
前記リソース許可メッセージがダウンリンクＣＣのデータ領域中で受信される、Ｃ１に記載の方法。
［Ｃ１２］
前記リソース許可メッセージがダウンリンク制御チャネル中で受信される、Ｃ１に記載の方法。
［Ｃ１３］
前記リソース許可メッセージがダウンリンク共有チャネル中で受信される、Ｃ１に記載の方法。
［Ｃ１４］
追加の単一の構成されたＣＣのための追加のリソース許可メッセージを受信すること、
をさらに備える、Ｃ１に記載の方法。
［Ｃ１５］
前記スケジュールされたＣＣのための共通ＨＡＲＱフィードバックメッセージを送信すること
をさらに備える、Ｃ１に記載の方法。
［Ｃ１６］
前記リソース許可メッセージのサイズが、前記複数の構成されたＣＣの数に少なくとも部分的に基づく、Ｃ１に記載の方法。
［Ｃ１７］
前記リソース許可メッセージの前記サイズが半静的ダウンリンク制御情報（ＤＣＩ）長さを備える、Ｃ１６に記載の方法。
［Ｃ１８］
キャリアアグリゲーションにおいて複数の構成されたコンポーネントキャリア（ＣＣ）上で通信するように動作可能なユーザ機器（ＵＥ）を備えるワイヤレス通信のための装置であって、前記装置は、
サブフレームのための複数の構成されたＣＣからのスケジュールされたＣＣの指示を備える前記複数の構成されたＣＣのためのリソース許可メッセージを受信するための手段、ここにおいて、前記リソース許可メッセージに関連するリソース割振りグラニュラリティが、前記スケジュールされたＣＣの数に少なくとも部分的に基づく、と、
前記リソース許可メッセージに従って、前記サブフレームの間に前記スケジュールされたＣＣ上で通信するための手段と、
を備える、装置。
［Ｃ１９］
前記リソース許可メッセージに関連する前記リソース割振りグラニュラリティは、前記スケジュールされたＣＣがアップリンクＣＣを備えるのかダウンリンクＣＣを備えるのかに少なくとも部分的に基づく、Ｃ１８に記載の装置。
［Ｃ２０］
前記リソース許可メッセージが、ダウンリンクＣＣの制御領域中のメッセージを備えるのかデータ領域中のメッセージを備えるのかに少なくとも部分的に基づいて、前記リソース許可メッセージに関連する前記リソース割振りグラニュラリティを決定するための手段をさらに備える、Ｃ１８に記載の装置。
［Ｃ２１］
前記リソース許可メッセージ中のリソース割振りビットの数または前記スケジュールされたＣＣの前記数に少なくとも部分的に基づいて、前記リソース許可メッセージに関連する前記リソース割振りグラニュラリティを決定するための手段
をさらに備える、Ｃ１８に記載の装置。
［Ｃ２２］
前記複数の構成されたＣＣをＣＣの１つまたは複数のグループに区分するグループ構成メッセージを受信するための手段、ここにおいて、ＣＣの前記１つまたは複数のグループの各々が少なくとも２つの構成されたＣＣを備える、と、
複数のリソース許可メッセージを受信するための手段、ここにおいて、前記複数のリソース許可メッセージの各リソース許可メッセージが、ＣＣの前記１つまたは複数のグループ中のＣＣのグループに対応する、と、
をさらに備える、Ｃ１８に記載の装置。
［Ｃ２３］
ＣＣの少なくとも１つのグループがダウンリンクＣＣを備え、ＣＣの前記少なくとも１つのグループの各ダウンリンクＣＣが、同じアップリンク制御チャネルに関連する、Ｃ２２に記載の装置。
［Ｃ２４］
前記複数の構成されたＣＣは、前記スケジュールされたＣＣがアップリンクＣＣを備えるのかダウンリンクＣＣを備えるのかに少なくとも部分的に基づいて、ＣＣの前記１つまたは複数のグループに区分される、Ｃ２２に記載の装置。
［Ｃ２５］
前記リソース許可メッセージがダウンリンク制御チャネル中で受信される、Ｃ１８に記載の装置。
［Ｃ２６］
前記リソース許可メッセージがダウンリンク共有チャネル中で受信される、Ｃ１８に記載の装置。
［Ｃ２７］
追加の単一の構成されたＣＣのためのリソース許可メッセージを受信するための手段
をさらに備える、Ｃ１８に記載の装置。
［Ｃ２８］
前記スケジュールされたＣＣのための共通ＨＡＲＱフィードバックメッセージを送信するための手段
をさらに備える、Ｃ１８に記載の装置。
［Ｃ２９］
キャリアアグリゲーションにおいて複数の構成されたコンポーネントキャリア（ＣＣ）上で通信するように動作可能なユーザ機器（ＵＥ）を備えるワイヤレス通信のための装置であって、前記装置は、
プロセッサと、
前記プロセッサと電子通信しているメモリと、
前記メモリに記憶された命令であって、前記プロセッサによって実行されたとき、前記装置に、
サブフレームのための複数の構成されたＣＣからのスケジュールされたＣＣの指示を備える前記複数の構成されたＣＣのためのリソース許可メッセージを受信すること、ここにおいて、前記リソース許可メッセージに関連するリソース割振りグラニュラリティが、前記スケジュールされたＣＣの数に少なくとも部分的に基づく、と、
前記リソース許可メッセージに従って、前記サブフレームの間に前記スケジュールされたＣＣ上で通信することと、
を行わせるように動作可能である命令と、
を備える装置。
［Ｃ３０］
ワイヤレス通信のためのコードを記憶する非一時的コンピュータ可読媒体であって、前記コードは、
サブフレームのための複数の構成されたＣＣからのスケジュールされたＣＣの指示を備える前記複数の構成されたＣＣのためのリソース許可メッセージを受信すること、ここにおいて、前記リソース許可メッセージに関連するリソース割振りグラニュラリティが、前記スケジュールされたＣＣの数に少なくとも部分的に基づく、と、
前記リソース許可メッセージに従って、前記サブフレームの間に前記スケジュールされたＣＣ上で通信することと、
を行うために実行可能な命令を備える、非一時的コンピュータ可読媒体。